(57)【要約】    【課題】  同一のガラリにより種々の開口の大きさに対応が可能とすると共に矩形以外の開口形状にも対応可能とし、又複数の開口を形成した場合にも１組のガラリで対応可能とした。    【解決手段】  パネル体１１の一側からパネル体の内部に向けて空間を形成し、該空間にユニットに構成したガラリ１９を収納させ、前記パネル体の表面材１６の前記ガラリに対応する部分に開口２３を形成した。    【選択図】          図１
2006291525.tif 000002
【特許請求の範囲】
【請求項１】
パネル体の一側からパネル体の内部に向けて空間を形成し、該空間にユニットに構成したガラリを収納させ、前記パネル体の表面材の前記ガラリに対応する部分に開口を形成したことを特徴とするガラリ構造。
【請求項２】
１つのガラリに対して複数の開口が形成された請求項１のガラリ構造。
【請求項３】
前記ガラリは、少なくとも対向する二辺に設けられるガラリ側材と該ガラリ側材に掛渡して設けられた羽根材によってユニットに構成された請求項１のガラリ構造。
【請求項４】
前記羽根材は前記開口の大きさ及び／又は個数に対応して所要数設けられた請求項３のガラリ構造。
【請求項５】
前記空間はパネル体の下側から形成され、前記ガラリのガラリ側材は前記パネル体下端迄延びる脚部を有し、該脚部は前記開口に対するガラリの位置、前記羽根材の水平を管理する様に設けられた請求項３のガラリ構造。
【請求項６】
パネル体の表面材には窓口とガラリ用開口が設けられ、前記ガラリ側材は前記パネル体の一側から前記窓口、前記ガラリ用開口とを越える長さを有し、前記ガラリ側材の前記窓口に対応する部分は窓板が設けられ、前記ガラリ用開口に対応した部分には羽根材が設けられた請求項３のガラリ構造。
【発明の詳細な説明】
【技術分野】
【０００１】
本発明は、ドアの扉体、或は間仕切り用のパネル等のパネル体に設けられるガラリ構造に関するものである。
【背景技術】
【０００２】
建物の出入口部等に設けられるドアや各室を仕切る間仕切り等には換気上等の理由からガラリが設けられる場合がある。
【０００３】
従来、扉体に設けられるガラリの構造としては、特許文献１に示されるものがある。図１２に於いて、従来のガラリ構造について略述する。
【０００４】
図１２は扉体の断面を示しており、図中、１は芯材を示し、該芯材１には矩形の開口２が形成される。該開口２にはガラリ３が嵌込まれる。
【０００５】
該ガラリ３は上枠４、下枠５、右側枠（図示せず）、左側枠（図示せず）により、枠体６が矩形に組まれ、該枠体６は前記開口２に内嵌する。前記枠体６には前記右側枠、左側枠に掛渡る羽根材７が上下方向に所要ピッチで設けられている。前記芯材１の両面には表面パネル８，８が貼設される。
【０００６】
該表面パネル８には、前記枠体６が形成する開口２′に合わせて窓孔が穿設されており、該窓孔の内縁は、前記枠体６の内縁に合致している。
【０００７】
上記した従来のガラリ構造では、該枠体６の外径は、前記芯材１に形成される前記開口２の形状と合致している必要があり、更に前記枠体６が形成する前記開口２′と前記表面パネル８の前記窓孔とも合致している必要があるので、それぞれの位置合せが面倒である。又、開口の大きさ、形状に合わせてその都度、前記芯材１、前記表面パネル８に開口を形成し、前記枠体６を製作しなければならない。
【０００８】
更に、図示される様に前記上枠４、前記下枠５、両側枠は押出し材等型材であるので、開口の形状は矩形に限られ、円形、楕円形等の形状のガラリにすることが困難である。
【０００９】
又、意匠上、或は換気効率上同一パネルに複数のガラリを設ける必要がある場合、同一構造のガラリを複数用意し各々を同一パネルに組込んで設けなければならないので、コスト高となり、又、製作上も手間が掛かっている。
【００１０】
【特許文献１】実開平５−７５３８８号公報
【発明の開示】
【発明が解決しようとする課題】
【００１１】
本発明は斯かる実情に鑑み、同一のガラリにより種々の開口の大きさに対応が可能とすると共に矩形以外の開口形状にも対応可能とし、又複数の開口を形成した場合にも１組のガラリで対応可能としたものである。
【課題を解決するための手段】
【００１２】
本発明は、パネル体の一側からパネル体の内部に向けて空間を形成し、該空間にユニットに構成したガラリを収納させ、前記パネル体の表面材の前記ガラリに対応する部分に開口を形成したガラリ構造に係り、又１つのガラリに対して複数の開口が形成されたガラリ構造に係り、又前記ガラリは、少なくとも対向する二辺に設けられるガラリ側材と該ガラリ側材に掛渡して設けられた羽根材によってユニットに構成されたガラリ構造に係り、又前記羽根材は前記開口の大きさ及び／又は個数に対応して所要数設けられたガラリ構造に係り、又前記空間はパネル体の下側から形成され、前記ガラリのガラリ側材は前記パネル体下端迄延びる脚部を有し、該脚部は前記開口に対するガラリの位置、前記羽根材の水平を管理する様に設けられたガラリ構造に係り、更に又パネル体の表面材には窓口とガラリ用開口が設けられ、前記ガラリ側材は前記パネル体の一側から前記窓口、前記ガラリ用開口とを越える長さを有し、前記ガラリ側材の前記窓口に対応する部分は窓板が設けられ、前記ガラリ用開口に対応した部分には羽根材が設けられたガラリ構造に係るものである。
【発明の効果】
【００１３】
本発明によれば、パネル体の一側からパネル体の内部に向けて空間を形成し、該空間にユニットに構成したガラリを収納させ、前記パネル体の表面材の前記ガラリに対応する部分に開口を形成したので、ガラリと関連なく開口の形状が設定でき、任意の形状の開口を設けることが可能であり、又ガラリをユニット構成にしたので、パネル体に対するガラリの組付けが容易になり作業性が向上する。
【００１４】
又本発明によれば、１つのガラリに対して複数の開口が形成されたので、開口個々にガラリを設ける必要がなくなり、製作コストが低減する。
【００１５】
又、本発明によれば、前記ガラリは、少なくとも対向する二辺に設けられるガラリ側材と該ガラリ側材に掛渡して設けられた羽根材によってユニットに構成され、又前記羽根材は前記開口の大きさ及び／又は個数に対応して所要数設けられたので、共通のガラリで前記羽根材の本数を変更するだけで開口の大きさや形状、個数の変化に対応できる。
【００１６】
又本発明によれば、前記空間はパネル体の下側から形成され、前記ガラリのガラリ側材は前記パネル体下端迄延びる脚部を有し、該脚部は前記開口に対するガラリの位置、前記羽根材の水平を管理する様に設けられたので、前記開口に対する前記ガラリの位置出しが容易になる。
【００１７】
又本発明によれば、パネル体の表面材には窓口とガラリ用開口が設けられ、前記ガラリ側材は前記パネル体の一側から前記窓口、前記ガラリ用開口とを越える長さを有し、前記ガラリ側材の前記窓口に対応する部分は窓板が設けられ、前記ガラリ用開口に対応した部分には羽根材が設けられたので、窓、ガラリを個別に製作する必要がなくなり、製作コストが低減し、又前記パネル体に対する組付けが容易になり作業性が向上する等の優れた効果を発揮する。
【発明を実施するための最良の形態】
【００１８】
以下、図面を参照しつつ本発明を実施する為の最良の形態を説明する。
【００１９】
図１〜図３は、パネル体として木質系の扉体１１に本発明を実施した場合を示している。
【００２０】
図中、１２，１２は縦枠、１３は上枠、１４は下枠を示している。
【００２１】
前記扉体１１の基本的な構造は、前記縦枠１２，１２、前記上枠１３、前記下枠１４を矩形に組み骨組みとなる枠体１５を構成し、該枠体１５に表面材１６，１７を貼設する。該表面材１６，１７間には、芯材１８が挾設されている。
【００２２】
上記扉体１１にガラリ１９を組込む場合は、前記表面材１６，１７の内側面に前記ガラリ１９を収納可能な凹部２１，２１を形成する。又、該凹部２１を形成した部分は、前記芯材１８は除去されている。従って、前記表面材１６，１７の前記凹部２１が形成された部分は、前記ガラリ１９を収納する収納空間２２となっている。前記凹部２１の周囲には、前記表面材１６，１７間に補強材２４ａ，２４ｂが設けられる。垂直な補強材２４ｂの下端と前記縦枠１２との間には補助下枠１４′が設けられる。前記収納空間２２は前記下枠１４を除去した状態では下方に開放されている。
【００２３】
又、前記表面材１６，１７の前記凹部２１部分に開口２３が穿設される。図１では該開口２３は１個の円形の開口を示しているが、該開口２３が前記ガラリ１９部分を越えないものであれば、３角、４角、楕円等任意の形状が採用される。又、前記開口２３の個数も前記ガラリ１９部分を越えない様に設けてあれば、複数個設けてもよい。尚、複数個設ける場合は、近接して設けることがより好ましい。更に前記表面材１６と表面材１７の前記開口２３の形状や個数をそれぞれ異ならせてもよい。
【００２４】
前記ガラリ１９について、図４、図５により説明する。
【００２５】
相対向して配置されるガラリ側材２５，２５間に掛渡って羽根材２６が取付けられる。前記ガラリ側材２５は断面が矩形であり、前記羽根材２６は断面が倒立Ｙ字形状の押出し成型品である。該羽根材２６の材質としては、合成樹脂製、アルミ製等である。該羽根材２６の二股部には一部が欠切した円形の溝２７が形成されており、前記ガラリ側材２５には所要ピッチで、羽根取付け孔（図示せず）が穿設されている。前記ガラリ側材２５，２５の下端にはガラリ下端材２８が固着されている。
【００２６】
前記ガラリ側材２５，２５に前記羽根材２６を取付ける場合は、前記溝２７を前記羽根取付け孔に位置合せし、固定ピンや螺子等の固定具２９を前記羽根取付け孔に貫通させ、前記溝２７に圧入することで、前記ガラリ側材２５に前記羽根材２６が固定される。該羽根材２６は前記ガラリ側材２５の全長に亘って取付け可能であり、又前記羽根材２６の取付け範囲は、前記開口２３の大きさや形状、個数に合わせて適宜決定される。
【００２７】
前記ガラリ側材２５の長さは、前記凹部２１の高さ寸法と略一致しており、前記ガラリ１９を前記凹部２１に収納させた状態で、前記下枠１４を前記扉体１１の下端に取付けると、前記ガラリ１９が前記凹部２１にガタツキなく収納される。尚、前記ガラリ側材２５に対して前記羽根材２６が直角となる様に取付けることで、前記開口２３に対して前記ガラリ１９の中心がずれたとしても、前記開口２３から現れる前記羽根材２６は前記扉体１１に対して水平状態であり、外観を損うことはない。又、前記ガラリ側材２５の長さを管理することで、前記羽根材２６と前記開口２３との位置合せを管理することができる。
【００２８】
前記ガラリ１９を前記凹部２１に収納させ、前記下枠１４を前記補助下枠１４′に螺子等所要の固定具３１により固定し、更に前記下枠１４と前記ガラリ下端材２８とを固定具３１により固定することで、前記ガラリ１９が固定され前記扉体１１の開閉動作で前記ガラリ１９がガタツクことを防止している。
【００２９】
上記した様に、前記扉体１１には前記収納空間２２を形成し、該収納空間２２に前記ガラリ１９を収納させる構成であるので、該ガラリ１９をユニット化でき、前記扉体１１と前記ガラリ１９とを別工程で製作できるので、前記扉体１１の組立て時間が短縮できる。又、前記ガラリ１９の標準化が可能となる。
【００３０】
尚、図２は、前記扉体１１が上吊り引戸に用いられた場合を示しており、前記下枠１４が鉄材等金属材料であり、断面が逆凹字状となっており、下方に開口するガイド溝３２が形成される。該ガイド溝３２には床面に設けられたガイドローラ（図示せず）が転動自在に嵌合し、前記扉体１１の開閉時に該扉体１１が前記ガイドローラによりふらつかない様にガイドされる。
【００３１】
前記ガラリ１９の前記羽根材２６が取付けられている部分を、前記開口２３に対して充分大きくしておくことで、前記ガラリ１９と前記開口２３との中心が多少ずれていても外観に影響しないので、前記開口２３の加工が容易になる。
【００３２】
尚、上記実施の形態では、前記扉体１１の前記下枠１４に前記ガラリ下端材２８を取付ける様にしたが、前記扉体１１が蝶番により取付けられる回転式のドア、或は間仕切りパネル等では、前記ガラリ下端材２８を前記ガラリ側材２５より更に延出させ、延出した端部を前記扉体１１の下端に直接取付ける様にしてもよい。
【００３３】
又、前記収納空間２２は前記扉体１１の側方から形成し、前記ガラリ１９は前記扉体１１の側方から挿入する様にしてもよい。同様に、前記収納空間２２を前記扉体１１の上方から形成し、前記ガラリ１９を前記扉体１１の上方から挿入する様にしてもよい。
【００３４】
図６（Ａ）、（Ｂ）、（Ｃ）、（Ｄ）は前記開口２３の形状を変更した場合を示している。
【００３５】
前記ガラリ１９は同一構造で、前記表面材１６に形成される種々の前記開口２３の形状に対応が可能であり、特に図６（Ａ）、（Ｂ）については、前記扉体１１に同一の前記凹部２１を形成し、前記ガラリ１９も同一のものが使用可能である。又、図６（Ｄ）に示されるものは、複数の前記開口２３を有しており、１つの前記ガラリ１９で複数の前記開口２３を設けた場合に対応が可能となる。又、前記羽根材２６は前記開口２３が形成された範囲だけ設ければよい。
【００３６】
図７、図８は第２の実施の形態に係るガラリ３３を示し、前記第２の実施の形態はガラリ部と窓部とを一体に構成している。尚、羽根材２６が設けられるガラリ部分４２は、上記した実施の形態と同様であるので説明を省略する。
【００３７】
表面材１６，１７に形成する凹部２１，２１を、窓口３４及び開口２３が設けられる範囲を含む様に形成し、前記凹部２１に収納される様に、ガラリ側材２５，２５の長さを決定する。
【００３８】
該ガラリ側材２５，２５の上端に前記窓口３４の上端より上方となる様に窓上端枠３５が設けられ、前記窓口３４の下端より下方となる様に窓下端枠３６が設けられる。前記窓上端枠３５、前記窓下端枠３６にはそれぞれ窓板保持用の溝３７，３８が穿設され、該溝３７，３８に窓板、例えばガラス板３９が保持される。
【００３９】
尚、前記窓上端枠３５を省略し、前記ガラリ側材２５の内側に窓板保持用の溝を形成し、前記ガラリ側材２５の上端から前記ガラス板３９を落込む様にしてもよい。
【００４０】
而して、前記ガラリ３３には上部に窓部分４１が形成され、下部には前記ガラリ部分４２が形成される。尚、該ガラリ部分４２の上端に補強材４３を設け、該補強材４３と前記窓下端枠３６間に形成される収納空間２２には芯材１８（図示せず）を充填してもよい。
【００４１】
又、前記窓部分４１について、前記表面材１６、表面材１７と前記ガラス板３９間に隙間が生じるが、前記表面材１６、表面材１７の前記窓口３４の周縁にビード４４，４４を嵌設し、隙間の目隠しをしてもよい。又、前記ビード４４，４４の代りに隙間にコーキング材を充填してもよい。
【００４２】
本実施の形態では、前記開口２３の形状と同様に前記窓口３４についても種々の形状が選択可能となる。又、前記ガラス板３９の保持構造とガラリ１９の保持構造を一体にできるので、製作コストの低減が図れる。又、前記ガラリ側材２５の長さ、特に前記ガラリ部分４２より下方に延びる脚部４５の長さを管理することで、前記窓部分４１、前記ガラリ部分４２の高さ位置、傾きを管理することができ、前記ガラリ３３を組込んだ後に調整する必要がなく、組立て作業の簡略化が図れる。
【００４３】
図９、図１０はスティールドアに本発明を実施した第３の実施の形態を示している。
【００４４】
扉体４７は鋼製の枠体４８と該枠体４８の両面に接着剤で貼設される表面パネル４９，４９と、該表面パネル４９，４９の間に挾設される芯材５１とにより主に構成される。
【００４５】
前記枠体４８の内部に前記芯材５１が充填される過程で、ガラリ５２が収納される空間が残置され、該空間に前記ガラリ５２が嵌込まれた後、前記表面パネル４９，４９が貼設される。該表面パネル４９には前記ガラリ５２が収納された部分に開口２３が穿設される。
【００４６】
前記ガラリ５２について、図１０、図１１を参照して説明する。
【００４７】
鋼製のガラリ側材５３は前記空間の高さと同等の長さを有し、羽根材取付け用のスリット嵌合孔５４が長手方向に所要ピッチで穿設されている。尚、前記スリット嵌合孔５４は前記ガラリ側材５３の全長に亘って設けられるのが好ましい。前記ガラリ側材５３，５３間の上端部にはガラリ上端枠５５が設けられ、前記開口２３の下端下方にガラリ下端枠５６が設けられる。
【００４８】
前記ガラリ側材５３，５３に掛渡って羽根材５７が設けられる。該羽根材５７の断面は略山型形状をしており、斜面５７ａ、該斜面５７ａに連続する垂直面５７ｂを具備し、前記斜面５７ａの一部が突出し、前記スリット嵌合孔５４に嵌合する嵌合舌片５８となっている。
【００４９】
前記羽根材５７は前記開口２３の大きさ、形状に合わせて適宜本数が決められ、取付けられる。又、前記ガラリ側材５３の側面５３ａ、前記垂直面５７ｂの厚み方向の位置は、前記枠体４８の側面と同一となっており、前記表面パネル４９は前記側面５３ａ、前記垂直面５７ｂにも貼設される様になっている。尚、脚部５９に挾まれた空間には芯材５１が充填されることが好ましい。
【００５０】
本実施の形態に於いても、前記ガラリ５２は前記脚部５９を有し、該脚部５９の長さを管理することで、前記開口２３に対する前記ガラリ側材５３の位置の管理が可能となる。従って、前記ガラリ５２を収納する空間を形成する場合に高い精度は必要とされない。
【００５１】
尚、上記実施の形態は、扉体について説明したが、間仕切りパネル等のパネル体に実施可能であることは言う迄もない。又、羽根材の形状も片流れ形状にしてもよい等適宜変更が可能である。更に、羽根材は木製加工品であってもよく、この場合羽根材はガラリ側材に鋲或は釘等の固定具によって取付けられる。
【図面の簡単な説明】
【００５２】
【図１】本発明の第１の実施の形態を示す正面図である。
【図２】図１のＡ−Ａ矢視図である。
【図３】図１のＢ−Ｂ矢視図である。
【図４】第１の実施の形態に於けるガラリの正面図である。
【図５】図４のＣ部拡大図である。
【図６】（Ａ）（Ｂ）（Ｃ）（Ｄ）はそれぞれ表面材に形成される開口の形状の変更例を示す説明図である。
【図７】本発明の第２の実施の形態を示す正面図である。
【図８】図７のＤ−Ｄ矢視図である。
【図９】本発明の第３の実施の形態を示す正面図である。
【図１０】図９のＥ−Ｅ矢視図である。
【図１１】第３の実施の形態に於けるガラリ側材と羽根材との組立てを示す斜視説明図である。
【図１２】従来のガラリ構造を示す断面図である。
【符号の説明】
【００５３】
１１            扉体
１６            表面材
１７            表面材
１９            ガラリ
２１            凹部
２２            収納空間
２３            開口
２５            ガラリ側材
２６            羽根材
３４            窓口
３５            窓上端枠
３６            窓下端枠
３９            ガラス板
４１            窓部分
４２            ガラリ部分
４７            扉体
５２            ガラリ
５３            ガラリ側材
５７            羽根材
【図１】
2006291525.tif 000003
【図２】
2006291525.tif 000004
【図３】
2006291525.tif 000005
【図４】
2006291525.tif 000006
【図５】
2006291525.tif 000007
【図６】
2006291525.tif 000008
【図７】
2006291525.tif 000009
【図８】
2006291525.tif 000010
【図９】
2006291525.tif 000011
【図１０】
2006291525.tif 000012
【図１１】
2006291525.tif 000013
【図１２】
2006291525.tif 000014